(57)【要約】    【課題】薄い生地や伸縮性のある生地に使用しても取り付け位置でゆるみが発生したり脱落したりしないようなハトメを提供する。    【解決手段】雄側リング（１）及び雌側リング（２）の双方の対向する位置に、取付生地（３）を挟むための雄側係合面（１４）及び雌側係合面（２３）を円周状に形成する。雌側リング（２）における前記雌側係合面（２３）の側周縁部に連続して複数の生地押圧片（２４）を起立形成させる。前記生地押圧片（２４）平坦な頂部（３３）を有する多角形の形状である。前記生地押圧片（２４）は、３〜１０個が好ましい。【選択図】図１
2007222220.tif 000002
【特許請求の範囲】
【請求項１】
雄側リング（１）及び雌側リング（２）の双方の対向する位置に、取付生地（３）を挟むための雄側係合面（１４）及び雌側係合面（２３）を円周状に形成するとともに、雌側リング（２）における前記雌側係合面（２３）の側周縁部に連続して複数の生地押圧片（２４）を起立形成させたハトメにおいて、前記生地押圧片（２４）は平坦な頂部を有する多角形の形状であることを特徴とするハトメ。
【請求項２】
前記生地押圧片（２４）が台形形状である請求項１記載のハトメ。
【請求項３】
前記生地押圧片（２４）が、側周縁部に３〜１０個設けられている請求項１又は２記載のハトメ。
【請求項４】
前記生地押圧片（２４）は周縁部（２３）からやや外方向に延びて直径を拡大させる外延部（２５）と、垂直に立ち上がっている直立部（２６）からなり、前記押圧片（２４）同士の間はＶ字型の切り込み（２７）となっている請求項１ないし３の何れかに記載のハトメ。
【請求項５】
雌側リング（２）の係合面（２２）の外側に、水平部（２８）と補強周縁部（２９）を連続して形成した請求項１ないし４のいずれかに記載のハトメ。
【請求項６】
前記補強周縁部（２９）は、水平部（２８）から垂直に下がる垂下部（３０）と、垂下部の最下部から立ち上がる起立部（３１）からなり、断面ほぼＶ字状の溝（３２）を形成している請求項１ないし５のいずれかに記載のハトメ。
【発明の詳細な説明】
【技術分野】
【０００１】
本発明は、ハトメに関し、特に薄い生地や編物などの伸縮性のある生地に取り付けることのできるハトメに関する。このようなハトメは、ベビー服、ニットウェア、ポロシャツなどに使用することができる。
【背景技術】
【０００２】
従来、薄い生地や伸縮性のある生地にハトメを取り付けるときには、パッキンを入れてからかしめていた。生地に厚みを出したり、編目をふさいだりして、取付強度を高めるためである。
【０００３】
取付対象の生地とは直接関係はないが、ハトメの取付強度を高めるための発明として下記特許文献１がある。これは、本願添付の図５に示すように、雌側リング４及び雄側リング５の双方の対向する位置に、取付生地を挟むための雄側挟持用平滑面５２及び雌側挟持用平滑面４２を円周状に形成し、雌側リング４における前記雌側挟持用平滑面５２の側周縁部に連続して起立形成される複数の生地貫通片４１を設けたことを特徴とするものである。生地貫通片４１は「略二等辺三角形状の鋭利な」ものとして紹介されている。
【特許文献１】特開２００３−３３９４１５
【発明の開示】
【発明が解決しようとする課題】
【０００４】
この特許文献１のハトメは、雌雄リングが周方向へ回動しないようにすることを目的としており、薄い生地や伸縮性のある生地への取り付けを目的としている訳ではない。敢えてこれを薄い生地や伸縮性のある生地へ取り付けると、普通のハトメに比べれば、格段に優れた取り付け性能を有するが、これを長時間使用していると取り付け位置でゆるみが発生し、最悪の場合、脱落のおそれがある。厚手の生地の場合は鋭利な貫通片がしっかり食い込んで固定されるので問題はないのであるが、薄い生地や伸縮性のある生地の場合は、貫通片は生地に引っ掛って食い込む程度の微小なものであるから、挟み付け部分が弛んだり、過度の負荷が作用すると、ハトメ内部で貫通片から生地が浮いたり、生地が外れたりすることがあり、取付強度に優れているとは言い難かった。
【０００５】
本発明は、最初から薄い生地や伸縮性のある生地への取り付けを目的としている。すなわち、長時間このように生地に使用しても取り付け位置でゆるみが発生しないようなハトメを提供することを目的とする。
【課題を解決するための手段】
【０００６】
本発明は、雌側リング及び雄側リングの双方の対向する位置に、取付生地を挟むための雄側係合面及び雌側係合面を円周状に形成し、雌側リングにおける前記雌側係合面の側周縁部に連続して複数の生地押圧片を起立形成したハトメにおいて、前記生地押圧片が平坦な頂部を有する多角形の形状であることを特徴とするものである。すなわち、前記特許文献１の「略二等辺三角形状の鋭利な」生地貫通片を平坦な頂部を有する多角形の形状の生地押圧片に置き換えたことが特徴である。
【発明の効果】
【０００７】
従来技術の貫通片と異なり、本発明の押圧片は生地を貫通することがなく、台形状の頂部で幅広く押圧するので、薄い生地や弾力性のある生地でもしっかりと固定することができる。
【発明を実施するための最良の形態】
【０００８】
生地押圧片の多角形の形状としては、平坦な頂部を有する必要があるので、正方形、長方形、台形、六角形などが可能であるが、加工のしやすさや安定性から見て実用的には台形が最も好ましい。なお、本明細書で多角形というときには角部が面取りされているものも含むものとする。
【０００９】
生地押圧片は、３〜１０個程度設けるのが好ましい。２個以下では、押圧片同士の間隔が少なすぎて十分に押圧の効果を上げることができない。１１個以上では、従来技術の貫通片に近くなり、生地を貫通する虞がある。
【００１０】
生地押圧片は周縁部からやや外方向に延びて直径を拡大させる外延部と、垂直に立ち上がっている直立部からなり、押圧片同士の間はＶ字型の切り込みとなっていることが好ましい。
【００１１】
さらに好ましくは、雌側リングの係合面の外側に、水平部と、補強周縁部を連続して形成する。補強周縁部は、水平部から垂直に下がる垂下部と、垂下部の最下部から立ち上がる起立部からなり、断面ほぼＶ字状の溝を形成させることが好ましい。
【実施例１】
【００１２】
以下、添付の図面に基づき、本発明の実施例を説明する。
【００１３】
図１は本発明の実施例に係るハトメの組立前の状態を示す断面図で、（ａ）は雄リング、（ｂ）は雌リングである。図２は同実施例に係るハトメの雌リングを示す平面図である。図３（ａ）（ｂ）は同実施例におけるハトメの生地取付前後の状態を示す断面図である。
【００１４】
本発明の実施例に係るハトメは、図１ないし図３に示すように、真鍮製の雄側リング１と、真鍮製の雌リング２とからなる。
【００１５】
雄側リング１は、外径１１ｍｍ程度で、全体が０．４ｍｍ厚の真鍮板をプレス加工することによって得られる。
【００１６】
雄側リング１の平板環状のフランジ部１１の基端１２から連続的に湾曲して、リングの中心軸方向に幅５ｍｍ、高さ４ｍｍ程度の筒状の脚部１３を形成している。雄リング１は、そのフランジ部１１の内面に雄側係合面１４を有している。
【００１７】
雌リング２は、外径１１ｍｍ程度で、全体が０．４ｍｍ厚の真鍮板をプレス加工することによって得られる。
【００１８】
雌リング２は、前記脚部１３が嵌合する幅６ｍｍ程度の係合孔２１を備えるとともに、前記雄リング１における平板環状のフランジ部１１の内面に対向する環状の雌側係合面２２を形成している。
【００１９】
この係合面２２の周縁部２３から台形形状の生地押圧片２４が係合面２２に沿って等間隔で８本起立形成している。押圧片２４は、周縁部２３からやや外方向に延びて直径を拡大させる外延部２５と、垂直に立ち上がっている直立部２６からなり、平坦な頂部３３を有する。この実施例では、押圧片２４は、厚み０．４ｍｍ、頂部２ｍｍ、底辺２．５ｍｍ、高さ１ｍｍ程度である。押圧片２４同士の間はＶ字型の切り込み２７となっている。
【００２０】
雌側リング２の係合面２２の外側には、雌側リング２の直径を拡大させる水平部２８があり、そこからさらに補強周縁部２９が連続して形成されている。補強周縁部２９は水平部から垂直に下がる垂下部３０と、垂下部の最下部から立ち上がる起立部３１からなり、断面ほぼＶ字状の溝３２を形成している。
【００２１】
上記構成のハトメを生地に取り付けるには、図３（ａ）に示すように、予め貫通孔３ａを開けた生地３を介して雄リング１と雌リング２を向かい合わせる。続いて、両リングを互いに押圧すると、次のような変化が生ずる。
（ａ）生地押圧片２４は、取付生地３を貫通することなく生地を頂部３３と雄側係合面１４の間に挟み込む。このとき、押圧片２４は垂直状態を保つことができず、内側に湾曲する。
（ｂ）雄リングの脚部１３の末端１５が押し曲げられて水平部２８に当接する。
（ｃ）雄リング１のフランジ末端１２と雌リング２の補強周縁部２９の末端がそれぞれ生地３に食い込む。
【００２２】
これにより、ハトメは生地に強固に取り付けられる。従来技術の貫通片と異なり、本発明の押圧片２４は生地を貫通することがなく、平坦な頂部３３が幅広く押圧するので、薄い生地や弾力性のある生地でもしっかりと固定することができる。
【図面の簡単な説明】
【００２３】
【図１】本発明の実施例に係るハトメの組立前の状態を示す断面図で、（ａ）は雄リング、（ｂ）は雌リングである。
【図２】同実施例に係るハトメの雌リングを示す平面図である。
【図３】（ａ）（ｂ）は同実施例におけるハトメの生地取付前後の状態を示す断面図である。
【図４】従来技術のハトメを示す一部断面正面図である。
【符号の説明】
【００２４】
１   雄リング
２   雌リング
３   取付生地
１１ フランジ部
１２ フランジ末端
１３ 脚部
１４ 雄側係合面
２２ 雌側係合面
２３ 周縁部
２４ 生地押圧片
２５ 外延部
２６ 直立部
２８ 水平部
２９ 補強周縁部
３０ 垂下部
３１ 起立部
３２ 溝
３３  頂部
【図１】
2007222220.tif 000003
【図２】
2007222220.tif 000004
【図３】
2007222220.tif 000005
【図４】
2007222220.tif 000006